【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
被写体を撮像して画像データを取得する撮像手段と、
前記撮像手段により取得された画像データに基づく画像を表示する表示手段と、
少なくとも前記表示手段の表示画像における被写体の動き情報および背景の動き情報を検出する動き検出手段と、
前記動き検出手段の検出結果に基づいて流し撮り状態であるか否かを判定する判定手段と、
前記動き検出手段の検出結果に基づいて前記被写体の動き量および前記背景の動き量が小さくなるように露出制御を行う露出制御手段と、を有し、
前記露出制御手段は、前記判定手段により流し撮り状態でないと判定された場合、前記動き検出手段の検出結果に基づいて露出制御を行うとともに、流し撮り状態であると判定された場合、前記動き検出手段の検出結果に基づいて露出制御を行わないことを特徴とする撮像装置。
【請求項２】
前記動き検出手段は、前記撮像装置の動き情報を検出し、
前記判定手段は、前記被写体の動き情報、前記背景の動き情報、および前記撮像装置の動き情報に基づいて流し撮り状態であるか否かを判定することを特徴とする請求項１に記載の撮像装置。
【請求項３】
前記露出制御手段は、前記動き検出手段の検出結果に基づいて、シャッタースピード、絞り値、およびゲイン値のうち少なくとも１つを設定することを特徴とする請求項１または２に記載の撮像装置。
【請求項４】
前記露出制御手段は、前記被写体の動き量または前記背景の動き量が大きいほどシャッタースピードを速くすることを特徴とする請求項１ないし３のいずれか１項に記載の撮像装置。
【請求項５】
手ぶれの補正を行う手ぶれ補正手段と、
前記手ぶれ補正手段は、前記判定手段により流し撮り状態であると判定された場合、流し撮り状態ではない場合よりも補正量を抑えた手ぶれ補正を行うことを特徴とする請求項１ないし４のいずれか１項に記載の撮像装置。
【請求項６】
前記判定手段は、前記表示画像において前記背景の動き量が所定値以上であって前記被写体の動き量が所定値よりも小さい場合、流し撮り状態であると判定することを特徴とする請求項１ないし５のいずれか１項に記載の撮像装置。
【請求項７】
前記判定手段は、前記表示画像において前記背景の動き量が所定値以上であって前記被写体の動き量が所定値も小さく、かつ、前記撮像装置の動き方向が略一定の場合、流し撮り状態であると判定することを特徴とする請求項１ないし５のいずれか１項に記載の撮像装置。
【請求項８】
被写体を撮像して画像データを取得する撮像手段と、
前記撮像手段により取得された画像データに基づく画像を表示する表示手段と、
少なくとも前記表示手段の表示画像における被写体の動き情報および背景の動き情報を検出する動き検出手段と、
少なくとも流し撮りモードを含む複数の撮影モードから任意の撮影モードを設定する撮像モード設定手段と、
前記動き検出手段の検出結果に基づいて前記被写体の動き量および前記背景の動き量が小さくなるように露出制御を行う露出制御手段と、を有し、
前記露出制御ユニットは、前記撮像モード設定手段により流し撮りモードが設定されていない場合、前記動き検出手段の検出結果に基づいて露出制御を行うとともに、流し撮りモードが設定されている場合、前記動き検出手段の検出結果に基づいて露出制御を行わないことを特徴とする撮像装置。
【請求項９】
被写体を撮像して画像データを取得する撮像手段と、前記撮像手段により取得された画像データに基づく画像を表示する表示手段と、を有する撮像装置の制御方法であって、
少なくとも前記表示手段の表示画像における被写体の動き情報および背景の動き情報を検出する動き検出ステップと、
前記動き検出ステップの検出結果に基づいて流し撮り状態であるか否かを判定する判定ステップと、
前記動き検出ステップの検出結果に基づいて前記被写体の動き量および前記背景の動き量が小さくなるように露出制御を行う露出制御ステップと、を有し、
前記露出制御ステップは、前記判定ステップで流し撮り状態でないと判定された場合、前記動き検出ステップの検出結果に基づいて露出制御を行うとともに、流し撮り状態であると判定された場合、前記動き検出ステップの検出結果に基づいて露出制御を行わないことを特徴とする撮像装置の制御方法。
【請求項１０】
被写体を撮像して画像データを取得する撮像手段と、前記撮像手段により取得された画像データに基づく画像を表示する表示手段と、を有する撮像装置の制御方法であって、
少なくとも前記表示手段の表示画像における被写体の動き情報および背景の動き情報を検出する動き検出ステップと、
少なくとも流し撮りモードを含む複数の撮影モードから任意の撮影モードを設定する撮像モード設定ステップと、
前記動き検出ステップの検出結果に基づいて前記被写体の動き量および前記背景の動き量が小さくなるように露出制御を行う露出制御ステップと、を有し、
前記露出制御ステップは、前記撮像モード設定ステップで流し撮りモードが設定されていない場合、前記動き検出ステップの検出結果に基づいて露出制御を行うとともに、流し撮りモードが設定されている場合、前記動き検出ステップの検出結果に基づいて露出制御を行わないことを特徴とする撮像装置の制御方法。
【手続補正２】
【補正対象書類名】明細書
【補正対象項目名】００１０
【補正方法】変更
【補正の内容】
【００１０】
上記目的を達成するために、本発明の撮像装置は、被写体を撮像して画像データを取得する撮像手段と、前記撮像手段により取得された画像データに基づく画像を表示する表示手段と、少なくとも前記表示手段の表示画像における被写体の動き情報および背景の動き情報を検出する動き検出手段と、前記動き検出手段の検出結果に基づいて流し撮り状態であるか否かを判定する判定手段と、前記動き検出手段の検出結果に基づいて前記被写体の動き量および前記背景の動き量が小さくなるように露出制御を行う露出制御手段と、を有し、前記露出制御手段は、前記判定手段により流し撮り状態でないと判定された場合、前記動き検出手段の検出結果に基づいて露出制御を行うとともに、流し撮り状態であると判定された場合、前記動き検出手段の検出結果に基づいて露出制御を行わないことを特徴とする。
【手続補正３】
【補正対象書類名】明細書
【補正対象項目名】００１１
【補正方法】変更
【補正の内容】
【００１１】
また、上記目的を達成するために、本発明の撮像装置は、被写体を撮像して画像データを取得する撮像手段と、前記撮像手段により取得された画像データに基づく画像を表示する表示手段と、少なくとも前記表示手段の表示画像における被写体の動き情報および背景の動き情報を検出する動き検出手段と、少なくとも流し撮りモードを含む複数の撮影モードから任意の撮影モードを設定する撮像モード設定手段と、前記動き検出手段の検出結果に基づいて前記被写体の動き量および前記背景の動き量が小さくなるように露出制御を行う露出制御手段と、を有し、前記露出制御ユニットは、前記撮像モード設定手段により流し撮りモードが設定されていない場合、前記動き検出手段の検出結果に基づいて露出制御を行うとともに、流し撮りモードが設定されている場合、前記動き検出手段の検出結果に基づいて露出制御を行わないことを特徴とする。
【手続補正４】
【補正対象書類名】明細書
【補正対象項目名】００１２
【補正方法】変更
【補正の内容】
【００１２】
また、上記目的を達成するために、本発明の撮像装置の制御方法は、被写体を撮像して画像データを取得する撮像手段と、前記撮像手段により取得された画像データに基づく画像を表示する表示手段と、を有する撮像装置の制御方法であって、少なくとも前記表示手段の表示画像における被写体の動き情報および背景の動き情報を検出する動き検出ステップと、前記動き検出ステップの検出結果に基づいて流し撮り状態であるか否かを判定する判定ステップと、前記動き検出ステップの検出結果に基づいて前記被写体の動き量および前記背景の動き量が小さくなるように露出制御を行う露出制御ステップと、を有し、前記露出制御ステップは、前記判定ステップで流し撮り状態でないと判定された場合、前記動き検出ステップの検出結果に基づいて露出制御を行うとともに、流し撮り状態であると判定された場合、前記動き検出ステップの検出結果に基づいて露出制御を行わないことを特徴とする。
【手続補正５】
【補正対象書類名】明細書
【補正対象項目名】００１３
【補正方法】変更
【補正の内容】
【００１３】
また、上記目的を達成するために、本発明の撮像装置の制御方法は、被写体を撮像して画像データを取得する撮像手段と、前記撮像手段により取得された画像データに基づく画像を表示する表示手段と、を有する撮像装置の制御方法であって、少なくとも前記表示手段の表示画像における被写体の動き情報および背景の動き情報を検出する動き検出ステップと、少なくとも流し撮りモードを含む複数の撮影モードから任意の撮影モードを設定する撮像モード設定ステップと、前記動き検出ステップの検出結果に基づいて前記被写体の動き量および前記背景の動き量が小さくなるように露出制御を行う露出制御ステップと、を有し、前記露出制御ステップは、前記撮像モード設定ステップで流し撮りモードが設定されていない場合、前記動き検出ステップの検出結果に基づいて露出制御を行うとともに、流し撮りモードが設定されている場合、前記動き検出ステップの検出結果に基づいて露出制御を行わないことを特徴とする。